(57)【要約】【課題】  公園等において、高齢者等に適した歩行環境を提供する。【解決手段】  遊歩道３の一方の縁に沿って利用者が保持する手すりが設置される第１のガイド２と、遊歩道３の他方の縁に沿って利用者が保持する手すりが設置される設置される第２のガイドと、を備えるようにする。更に、第１のガイドには、遊歩道３に出入りするために利用者の手すりが分断されて構成される第１及び第２の出入口領域６、８が形成され、更に、第２のガイド４には、第１及び第２出入口領域６、８の間であって、且つ第１及び第２の出入口領域６、８と遊歩道３の進行方向に重複しない第３の出入口領域１０が形成されるようにする。【選択図】図１
0003108439.tif 000002
【実用新案登録請求の範囲】
【請求項１】
遊歩道用のガイド装置であって、
遊歩道の一方の縁に沿って、利用者が保持する手すりが設置される第１のガイドと、
前記遊歩道の他方の縁に沿って、利用者が保持する手すりが設置される第２のガイドと、を備え、
前記第１のガイドには、前記遊歩道に出入りするために、利用者の前記手すりが分断されて構成される第１及び第２の出入口領域が形成され、更に、前記第２のガイドには、前記第１及び第２出入口領域の間であって、且つ該第１及び第２の出入口領域と遊歩道の進行方向に重複しない第３の出入口領域が形成されることを特徴とする遊歩道用ガイド装置。
【請求項２】
請求項１において、
前記第１のガイドにおける第１及び第２出入口領域の間、且つ前記遊歩道の反対側に、利用者が着座可能な腰掛部が一体的に形成されていることを特徴とする遊歩道用ガイド装置。
【請求項３】
請求項１又は２において、
前記第２のガイドにおける前記第３出入口領域の両外側近傍、且つ前記遊歩道の反対側に、利用者が着座可能な腰掛部が一体的に形成されていることを特徴とする遊歩道用ガイド装置。
【請求項４】
請求項１、２又は３において、
前記第１のガイドにおける前記手すりが、互いに高さの異なるように複数本設置されていることを特徴とする遊歩道用ガイド装置。
【請求項５】
請求項１乃至４のいずれかにおいて、
前記第１及び第２のガイドが、前記手すりを保持する複数本の支柱を備えており、更に、前記支柱における遊歩道側端に対して前記手すりの遊歩道側端が、該遊歩道の中心方向に１０センチメートル以上突出していることを特徴とする遊歩道用ガイド装置。
【請求項６】
請求項１乃至５のいずれかにおいて、
前記第１及び第２のガイドの間に遊歩道としてのゴム板が設置されており、該ゴム板が、利用者の歩行衝撃を吸収可能にしたことを特徴とする遊歩道用ガイド装置。
【請求項７】
請求項１乃至６のいずれかにおいて、
前記第１及び第２のガイドが環状に配置され、該第１及び第２のガイドが、自身によって形成される内部空間の柵として利用可能となっていることを特徴とする遊歩道用ガイド装置。
【考案の詳細な説明】
【技術分野】
【０００１】
本考案は、遊歩道に用いられ、高齢者などの歩行を補助するガイド装置に関するものである。
【背景技術】
【０００２】
私たちの身近にある公園は、現在に至るまで、主に子供向けに造られてきている。例えば、既存の公園に設置されている遊具は、ブランコ、滑り台、砂場など、子供が遊ぶものが多い。比較的若い夫婦が住まう新興住宅内の公園は、若い母親や子供たちで賑わっているが、年数が経過した住宅地内の公園は、母親や子供たちの姿もあまり見かけられず、閑散としていることが多い。
【０００３】
年数が経過した住宅地は、高齢者の比率が高い。最近の高齢者は、心身共に健康である場合も増えてきているが、そのような高齢者は、適度な運動を継続的に実行することによって、その健康を維持することが可能になる。しかし、適度な運動を行う環境が整備されていないため、結局、活動範囲が狭くなり、家の中で過す時間が増えて体力・筋力が衰えていってしまう。
【考案の開示】
【考案が解決しようとする課題】
【０００４】
このような背景から、本考案者は、現在の公園を高齢者向けに造り替えていかなければならないと感じている。その際に大切なことは、公園内に遊歩道を設置することである。高齢者や障害者にとっては、「歩く」という行為が健康維持やリハビリテーションの基礎になるからである。
【０００５】
現在は、公園以外の一般道路を散歩している光景が見かけられる。しかし、視力が衰えたり、足腰が弱ってきている高齢者の場合は、車や自転車と接触する可能性があるため、一般道路を安心して歩くことができないという問題があった。
【０００６】
一方、公園に遊歩道を設置する場合には、利用者の歩行を補助する為の手すりが必要になる。しかし、遊歩道に設置するために適した手すりが存在しないという問題があった。
【０００７】
本考案は上記問題点に鑑みてなされたものであり、高齢者や障害者が安心して歩くことが出来、また、公園等に設置するのに好適な遊歩道用ガイド装置を提供することを目的としている。
【課題を解決するための手段】
【０００８】
上記目的は、以下の手段によって実現されるものである。
【０００９】
（１）遊歩道用のガイド装置であって、遊歩道の一方の縁に沿って、利用者が保持する手すりが設置される第１のガイドと、前記遊歩道の他方の縁に沿って、利用者が保持する手すりが設置される第２のガイドと、を備え、前記第１のガイドには、前記遊歩道に出入りするために、利用者の前記手すりが分断されて構成される第１及び第２の出入口領域が形成され、更に、前記第２のガイドには、前記第１及び第２出入口領域の間であって、且つ該第１及び第２の出入口領域と遊歩道の進行方向に重複しない第３の出入口領域が形成されることを特徴とする遊歩道用ガイド装置。
【００１０】
（２）上記（１）において、前記第１のガイドにおける第１及び第２出入口領域の間、且つ前記遊歩道の反対側に、利用者が着座可能な腰掛部が一体的に形成されていることを特徴とする遊歩道用ガイド装置。
【００１１】
（３）上記（１）又は（２）において、前記第２のガイドにおける前記第３出入口領域の両外側近傍、且つ前記遊歩道の反対側に、利用者が着座可能な腰掛部が一体的に形成されていることを特徴とする遊歩道用ガイド装置。
【００１２】
（４）上記（１）、（２）又は（３）において、前記第１のガイドにおける前記手すりが、互いに高さの異なるように複数本設置されていることを特徴とする遊歩道用ガイド装置。
【００１３】
（５）上記（１）乃至（４）のいずれかにおいて、前記第１及び第２のガイドが、前記手すりを保持する複数本の支柱を備えており、更に、前記支柱における遊歩道側端に対して前記手すりの遊歩道側端が、該遊歩道の中心方向に１０センチメートル以上突出していることを特徴とする遊歩道用ガイド装置。
【００１４】
（６）上記（１）乃至（５）のいずれかにおいて、前記第１及び第２のガイドの間に遊歩道としてのゴム板が設置されており、該ゴム板が、利用者の歩行衝撃を吸収可能にしたことを特徴とする遊歩道用ガイド装置。
【００１５】
（７）上記（１）乃至（６）のいずれかにおいて、前記第１及び第２のガイドが遊歩道に沿って環状に配置され、該第１及び第２のガイドが、自身によって形成される内部空間の柵として利用可能となっていることを特徴とする遊歩道用ガイド装置。
【考案の効果】
【００１６】
本考案によれば、安心して歩行が出来る空間を確保することが可能になる。
【考案を実施するための最良の形態】
【００１７】
以下、図面を参照しながら、本考案の実施の形態に係る遊歩道用ガイド装置を詳細に説明する。
【００１８】
図１には、遊歩道用ガイド装置１の全体概略構成が示されている。この遊歩道用ガイド装置１は、人が歩くための遊歩道３の一方の縁に沿って設置される第１ガイド２、及び、遊歩道３の他方の縁に沿って設置される第２ガイド４を備える。第１ガイド２には、遊歩道３に出入するための第１及び第２出入口領域６、８が形成されている。なお、この第１及び第２出入口領域６、８は、第１ガイド２における手すりが分断されることによって、形成されている。また、第２ガイド４には第３出入口領域１０が形成されている。この第３出入口領域１０は、第１及び第２出入口領域６、８の間であって、遊歩道３の進行方向に沿ってこれらの両出入口領域６、８と重複しないように考慮されている。このようにすると、リハビリや健康目的の為に、第１及び第２ガイド２、４を頼りに歩いている人に対して、少なくとも一方の手すりを常に存在させることが可能になる。なお、第２ガイド４には、第３出口領域１０のみならず、その両脇に、第４出口領域１２及び第５出口領域１４が形成されているが、これらも第１及び第２出入口領域６、８と重複しないようになっている。また、全出入口領域の開口幅は、車椅子が通過可能に設定しておくことが好ましい。遊歩道３内において車椅子を必要とする場合も存在するからである。
【００１９】
遊歩道３及び第１及び第２ガイド２、４は、全体として環状に形成されており、利用者の体力に応じて、何周でも継続して歩くことが可能になっている。従って、この第１及び第２ガイド２、４によって囲まれる空間Ｎは、公園として活用することができる。
【００２０】
第１ガイド２における第１及び第２出入口領域６、８の間には、遊歩道３の利用者が着席可能な腰掛部１６が設置されている。この腰掛部１６は遊歩道３の反対側、即ち遊歩道３の外側に突出するように第１ガイド２と一体的に形成されている。更に、各出入口領域６、８において、腰掛部１６の反対側にも、同様に、腰掛部２２、２４が設置されている。
【００２１】
また第２ガイド４における第３出入口領域１０の両外側近傍にも、腰掛部１８、２０が設置されている。この腰掛部１８、２０についても遊歩道３の反対側、即ち遊歩道３の外側に突出するように設置されている。結局、腰掛部１８は第３出入口領域１０と第４出入口領域１２の間に、そして腰掛部２０は第３出入口領域１０と第５出入口領域１４の間に位置することになる。
【００２２】
次に、図２及び図３を参照して、第１及び第２ガイド２、４の詳細構造について説明する。なお、両ガイド２、４の基本構造は共通しているので、ここでは第２ガイド２について説明することで、第２ガイド４の説明については省略する。
【００２３】
第１ガイド２は、互いに高さの異なる３本の手すり２０２、２０４、２０６が設置されている。このように複数本の高さの手すりを用意しておくことで、利用者の身長差に対応することもできる。なお、最も低い手すり２０６は、車椅子に座った利用者も活用できる位置にすることが好ましい。手すり２０２、２０４、２０６は、両端側に設置される支柱２０８によって保持されている。具体的に、支柱２０８の上部には保持部材２１２が固定され、この保持部材２１２を介して手すり２０２、２０４、２０６を保持する構造である。保持部材２１２は遊歩道３側に突出しており、手すり２０２、２０４、２０６が支柱２０８と比較して利用者に近づくようになっている。この結果、手すり２０２、２０４、２０６の利用者が支柱２０８につまづくことを防止でき、また、車椅子であっても、車輪が支柱２０８にぶつかることを防止できる。特に、支柱２０８における遊歩道３側の縁を基準として、手すり２０２、２０４、２０６における遊歩道３側の縁が１０センチメートル以上突出することが好ましく、より望ましく２０センチメートル以上突出するように設定する。
【００２４】
更に第１ガイド２における支柱２０８には、板状の腰掛部１６が固定されている。腰掛部１６は、支柱２０８と共に、前脚２１０によっても支持されており、これらによって腰掛部１６の四隅を支持する構造になっている。特に、手すり２０２、２０４、２０６を複数本にすることで、この手すり２０２、２０４、２０６を腰掛部１６の背もたれとしても利用できるようになっている。結果として、第１ガイド２に腰掛部１６を一体的に設置することにより、シンプル且つ美しい構成で、遊歩道の利用者のガイド機能と、休憩時の着座機能の双方を合理的に両立していることになる。
【００２５】
更に図３に示されるように、遊歩道３はゴム板によって構成されている。このゴム板は、カラーのゴムチップが蓄積された構造であり、利用者の歩行時の衝撃を吸収できる。衝撃吸収機能を一層高めるには、更に下層に、スポンジ系の素材を敷き詰めることが望ましい。
【００２６】
次に、図４を参照して、本遊歩道用ガイド装置１の作用について説明する。
【００２７】
例えば、遊歩道３の利用者が、途中で休憩したい場合には、矢印Ａのコースを進み、第１ガイド２に形成される第１又は第２出入口領域６、８を利用して遊歩道３から一旦出て、設置されている腰掛部１６に着座する。そして、しばらく休憩した後に、再び第１又は第２出入口領域６、８を利用して遊歩道３に入り、歩き出すことができる。このように遊歩道３の外部で休憩させることで、休憩を取らずに歩き続ける利用者の邪魔にならないように配慮されている。また、休憩する場合であっても、常に手すり２０２、２０４、２０６を利用できるので、杖等を利用しなくても、休憩と歩行を繰り返すことが可能になる。
【００２８】
また、矢印Ｂのように、常に歩き続ける利用者の場合であっても、第１ガイド２と第２ガイド４に形成される各出入口領域が互いにずれている（即ち、遊歩道３の進行方向に重複していない）ので、手すり２０２、２０４、２０６が存在しない状況を防止できる。従って、第１及び第２ガイド２、４の少なくとも一方の手すり２０２、２０４、２０６を利用しながら、継続して歩くことができるようになっている。また、この遊歩道３及び遊歩道用ガイド装置１を利用しない者は、矢印Ｃのごとく、第１ガイド２側の第１及び第２出入口領域６、８及び第２ガイド４側の第３出入口領域１０を利用して、遊歩道３を横断することができるので、遊歩道３自体が邪魔になることを避けることが出来る。
【００２９】
特に、図１に示したように、本遊歩道用ガイド装置１を環状に配置することによって、内部空間Ｎを積極的に広場として活用できる。この場合に、第１及び第２ガイド２、４が広場の柵として機能するので、不審者や、自転車等が内部に入ってくる行為を牽制することが可能になる。例えば、内部空間Ｎを子供用の広場にすれば、遊歩道３を利用している高齢者によって守られた広場になるので、母親も安心して子供を遊ばせることが出来る。また、遊歩道３を利用する高齢者も、地域の子供と触れ合う機会を持つことができ、より豊かな生活を送ることにつながっていく。
【００３０】
なお、ここでは特に図示していないが、第１及び第２ガイド２、４の少なくとも一方において、手すり２０２、２０４、２０６の本数を増やして、足下まで手すりを用意することで、内部空間Ｎを保護する柵として機能を一層高めることも出来る。
【産業上の利用可能性】
【００３１】
本考案は、公園やトレーニングルーム、リハビリテーション施設、病院等、遊歩道を設置可能な場所に活用できる。
【図面の簡単な説明】
【００３２】
【図１】本考案の実施の形態に係る遊歩道用ガイド装置の全体構成を示す概略図
【図２】同遊歩道用ガイド装置における第１ガイドの構造を示す立体斜視図
【図３】同遊歩道用ガイド装置における第１及び第２ガイドの側面図
【図４】同遊歩道用ガイド装置における利用方法を示す概略図
【符号の説明】
【００３３】
１        遊歩道用ガイド装置
２        第１ガイド
３        遊歩道
４        第２ガイド
６        第１出入口領域
８        第２出入口領域
１０      第３出入口領域
１６      腰掛部
２０２、２０４、２０６    手すり
２０８    支柱
２１０    前脚
２１２    保持部材
【図１】
0003108439.tif 000003
【図２】
0003108439.tif 000004
【図３】
0003108439.tif 000005
【図４】
0003108439.tif 000006